(57)【要約】【課題】接種を受けようとするワクチンが助成の適用対象であるか否かの確認を容易化する。【解決手段】予防接種管理システムは、情報処理装置を用いて構成され、被接種者に関する情報である被接種者情報を受け付け、予防接種の接種スケジュールの規準となる情報である規準接種スケジュール、および予防接種の助成に関する情報である助成情報を記憶し、被接種者情報および規準接種スケジュールに基づき、被接種者の予防接種に関するスケジュールである接種スケジュールを生成し、被接種者情報および助成情報に基づき、接種スケジュールの接種予定日における助成状況を示す情報である助成状況情報を生成する。【選択図】図３
2020071826.tif 000002
【特許請求の範囲】
【請求項１】
予防接種管理システムであって、
情報処理装置を用いて構成され、
被接種者に関する情報である被接種者情報を受け付ける被接種者情報受付部と、
予防接種の接種スケジュールの規準となる情報である規準接種スケジュール、および予防接種の助成に関する情報である助成情報を記憶する記憶部と、
前記被接種者情報および前記規準接種スケジュールに基づき、被接種者の予防接種に関するスケジュールである接種スケジュールを生成するスケジュール生成部と、
前記被接種者情報および前記助成情報に基づき、前記接種スケジュールの接種予定日における助成状況を示す情報である助成状況情報を生成する助成状況情報生成部と、
を備える、予防接種管理システム。
【請求項２】
請求項１に記載の予防接種管理システムであって、
ユーザが操作する情報処理装置であるユーザ装置と通信可能に接続し、
前記助成状況情報を前記ユーザ装置に送信する情報提供部をさらに備える、
予防接種管理システム。
【請求項３】
請求項２に記載の予防接種管理システムであって、
前記情報提供部は、前記接種スケジュールの接種予定日に接種するワクチンが助成対象であることを示す画像を前記ユーザ装置に表示するためのデータを前記ユーザ装置に送信する、
予防接種管理システム。
【請求項４】
請求項１に記載の予防接種管理システムであって、
前記助成情報はワクチン毎の助成適用期間を示す情報を含み、
前記スケジュール生成部は、前記助成適用期間の末日の到来が早いワクチンの接種予定日が他のワクチンの接種予定日よりも先になるように前記接種スケジュールを生成する、
予防接種管理システム。
【請求項５】
請求項１に記載の予防接種管理システムであって、
助成金支払機関に対して請求処理を行う情報処理装置である医療機関側システムと通信可能に接続し、
前記医療機関側システムに前記助成状況情報を送信する助成状況情報送信部をさらに備える、
予防接種管理システム。
【請求項６】
請求項５に記載の予防接種管理システムであって、
前記助成状況情報は、ワクチンの助成方法が現物給付であるか償還払いであるかを示す情報を含む、
予防接種管理システム。
【請求項７】
請求項１に記載の予防接種管理システムであって、
受診予約の管理を行う医療機関側システムと通信可能に接続し、
ワクチン接種のための受診予約に関する情報を含む受診予約要求を前記医療機関側システムに送信する受診予約部をさらに備える、
予防接種管理システム。
【請求項８】
請求項７に記載の予防接種管理システムであって、
前記受診予約要求には、接種対象のワクチンの前記助成状況情報が付帯する、
予防接種管理システム。
【請求項９】
請求項８に記載の予防接種管理システムであって、
前記助成状況情報は、ワクチンの助成方法が現物給付であるか償還払いであるかを示す情報を含む、
予防接種管理システム。
【請求項１０】
請求項１に記載の予防接種管理システムであって、
前記規準接種スケジュールは被接種者の生年月日を起点として作成されており、
前記被接種者情報は被接種者の生年月日を含み、
前記スケジュール生成部は、前記被接種者情報の生年月日を起点として前記規準接種スケジュールに基づき前記接種スケジュールを生成する、
予防接種管理システム。
【請求項１１】
請求項１に記載の予防接種管理システムであって、
前記記憶部は、被接種者の接種履歴をさらに記憶し、
前記スケジュール生成部は、前記被接種者情報、前記規準接種スケジュール、および前記接種履歴に基づき、前記接種スケジュールを生成する、
予防接種管理システム。
【請求項１２】
請求項１に記載の予防接種管理システムであって、
前記被接種者情報は、被接種者の居住自治体を示す情報を含み、
前記助成情報は、助成を行っている自治体、助成対象ワクチン、および助成対象者を示す情報を含む、
予防接種管理システム。
【請求項１３】
情報処理装置に、
被接種者に関する情報である被接種者情報を受け付ける機能と、
予防接種の接種スケジュールの規準となる情報である規準接種スケジュール、および予防接種の助成に関する情報である助成情報を記憶する機能と、
前記被接種者情報および前記規準接種スケジュールに基づき、被接種者の予防接種に関するスケジュールである接種スケジュールを生成する機能と、
前記被接種者情報および前記助成情報に基づき、前記接種スケジュールの接種予定日における助成状況を示す情報である助成状況情報を生成する機能と、
を実現するためのプログラム。
【請求項１４】
情報処理装置が、
被接種者に関する情報である被接種者情報を受け付けるステップと、
予防接種の接種スケジュールの規準となる情報である規準接種スケジュール、および予防接種の助成に関する情報である助成情報を記憶するステップと、
前記被接種者情報および前記規準接種スケジュールに基づき、被接種者の予防接種に関するスケジュールである接種スケジュールを生成するステップと、
前記被接種者情報および前記助成情報に基づき、前記接種スケジュールの接種予定日における助成状況を示す情報である助成状況情報を生成するステップと、
を実行する、予防接種管理方法。
【請求項１５】
請求項５に記載の医療機関側システムであって、
前記予防接種管理システムから受信した前記助成状況情報に基づき、被接種者毎に助成の適否の判定および助成方法の判定のうち少なくともいずれかの判定を行い、前記判定の結果に応じた請求処理を実行する請求処理部
を備える、医療機関側システム。
【発明の詳細な説明】
【技術分野】
【０００１】
本発明は、予防接種管理システム、医療機関側システム、プログラム、および予防接種管理システムの制御方法に関する。
【背景技術】
【０００２】
予防接種のスケジュールは、予防接種法で定めている予防接種の種類、接種対象年齢、回数、間隔等を考慮して計画する必要があり、管理が煩雑である。とくに予防接種の種類や回数が多い乳幼児の保護者にとって予防接種のスケジュールの管理は大きな負担となる。そのため、スケジュールの管理を容易化するための様々技術が提案されている。
【０００３】
例えば、特許文献１には、乳幼児の保護者に対する小児予防接種の計画支援及び医療機関への代行予約に関するサービスを提供することを目的として構成された予防接種計画支援及び代行予約システムが記載されている。予防接種計画支援及び代行予約システムは、利用者を特定する情報と、 予防接種を受ける時期的要件に関する情報を含む予防接種情報とをデータベースに格納し、予防接種を受けられる医療機関に関する位置的情報と、利用者端末からの入力情報に応じて、入力情報に含まれる子供の生年月日と予防接種情報データベースに格納された予防接種を受ける時期的要件に関する情報とに基づいて予防接種を推奨する時期と予防接種内容とを表示した予防接種カレンダーを作成する。また利用者端末からの入力情報に応じて、該入力情報に含まれる利用者の位置情報とデータベースに格納された予防接種を受ける医療機関に関する位置的要件に関する情報とに基づいて予防接種の受診を推奨する医療機関候補と予約ボタンとを提示し予約を促す。
【先行技術文献】
【特許文献】
【０００４】
【特許文献１】特開２００７−１８３３７号公報
【発明の概要】
【発明が解決しようとする課題】
【０００５】
ところで、予防接種については助成制度が設けられており、被接種者が適用条件を満たしている場合は助成の適用を受けることができる。しかし被接種者や被接種者の保護者等は接種しようとするワクチンが助成対象であるか否かを必ずしも確認していないことが多く、例えば、医療機関を訪れてみたものの、接種を受けようとするワクチンが助成対象でなくかつ現金の持ち合わせもないため、当日の接種を諦めて後日出直すといったことが起こり得る。一方、医療機関においては、被接種者毎に助成の適否や助成方法（現物給付（予防接種の実施による給付）、償還払い等）を判別する必要があり、煩雑な事務処理が負担となっている。
【０００６】
本発明はこのような課題に鑑みてなされたものであり、接種を受けようとするワクチンが助成の適用対象であるか否かの確認を容易化することを可能とする、予防接種管理システム、医療機関側システム、プログラム、および予防接種管理システムの制御方法を提供することを目的とする。
【課題を解決するための手段】
【０００７】
上記目的を達成するための本発明の一つは、予防接種管理システムであって、情報処理装置を用いて構成され、被接種者に関する情報である被接種者情報を受け付ける被接種者情報受付部と、予防接種の接種スケジュールの規準となる情報である規準接種スケジュール、および予防接種の助成に関する情報である助成情報を記憶する記憶部と、前記被接種者情報および前記規準接種スケジュールに基づき、被接種者の予防接種に関するスケジュールである接種スケジュールを生成するスケジュール生成部と、前記被接種者情報および前記助成情報に基づき、前記接種スケジュールの接種予定日における助成状況を示す情報である助成状況情報を生成する助成状況情報生成部と、を備える。
【０００８】
その他、本願が開示する課題、およびその解決方法は、発明を実施するための形態の欄の記載、及び図面の記載等により明らかにされる。
【発明の効果】
【０００９】
本発明によれば、接種を受けようとするワクチンが助成の適用対象であるか否かの確認を容易化することが可能になる。
【図面の簡単な説明】
【００１０】
【図１】予防接種管理システムを含む情報処理システムの構成図である。
【図２】予防接種管理システム、医療機関側システム、およびユーザ装置の実現に際して用いられるハードウェア（情報処理装置）の一例である。
【図３】予防接種管理システムが備える主な機能を示す図である。
【図４】被接種者情報設定画面の一例である。
【図５】被接種者情報の一例である。
【図６】助成情報の一例である。
【図７】接種スケジュール設定画面の一例である。
【図８】接種スケジュールの一例である。
【図９】接種スケジュール確認画面の一例である。
【図１０】接種履歴登録画面の一例である。
【図１１】接種履歴の一例である。
【図１２】ユーザ装置が備える主な機能を示す図である。
【図１３】医療機関側システムが備える主な機能を示す図である。
【図１４】スケジュール生成処理を説明するフローチャートである。
【図１５】助成状況情報生成処理を説明するフローチャートである。
【図１６】各種処理を説明するフローチャートである。
【図１７】スケジュール設定処理を説明するフローチャートである。
【図１８】受診予約処理を説明するフローチャートである。
【図１９】接種履歴登録処理を説明するフローチャートである。
【図２０】助成情報設定画面の一例である。
【発明を実施するための形態】
【００１１】
本明細書および添付図面の記載により、少なくとも以下の事項が明らかとなる。以下、本発明をその一実施形態に即して添付図面を参照しつつ説明する。
【００１２】
図１に本発明の一実施形態に係る情報処理システム１の構成を示す。情報処理システム１は、予防接種管理システム１０、医療機関側システム２０、および一つ以上のユーザ装置３０を含む。予防接種管理システム１０、医療機関側システム２０、およびユーザ装置３０は、通信ネットワーク５を介して互いにデータの送受信が可能となるように接続されている。通信ネットワーク５は、無線方式または有線方式の通信手段であり、例えば、インターネット、ＷＡＮ（Wide Area Network）、ＬＡＮ（Local Area Network）、公衆通信網、専用線等である。
【００１３】
ユーザ装置３０は、ユーザ（予防接種を受ける者（以下、「被接種者」と称する。）や被接種者の保護者等）によって操作される情報処理装置であり、例えば、スマートフォン、タブレット、携帯電話機、パーソナルコンピュータ等である。
【００１４】
予防接種管理システム１０は、ユーザ装置３０に通信ネットワーク５を介して各種サービスを提供する情報処理装置である。予防接種管理システム１０は、予防接種に関する各種情報の提供、被接種者の予防接種のスケジュールの管理、被接種者の予防接種の接種履歴の管理、予防接種の助成に関する情報の管理、医療機関への予防接種の接種予約等のサービスをユーザに提供する。尚、本実施形態において、「助成」という場合、定期接種のような公費負担や予防接種法（第２５条）における市町村の支弁等、全額負担と一部負担の双方を含む、予防接種についての広い意味での費用負担をいうものとする。
【００１５】
医療機関側システム２０は、病院や診療所等の医療機関に備えられている情報処理装置であり、受診予約の受付、診療報酬の請求（自治体等の助成金支払機関への助成金の請求を含む）等の処理を行う。
【００１６】
図２は、予防接種管理システム１０、医療機関側システム２０、およびユーザ装置３０の実現に用いるハードウェア（以下、「情報処理装置１００」と称する。）の一例である。同図に示すように、情報処理装置１００は、プロセッサ１０１、主記憶装置１０２、補助記憶装置１０３、入力装置１０４、出力装置１０５、および通信装置１０６を備える。これらは図示しないバス等の通信手段を介して互いに通信可能に接続されている。
【００１７】
尚、情報処理装置１００は、その全ての構成が必ずしもハードウェアで実現されている必要はなく、構成の全部又は一部が、例えば、クラウドシステム（cloud system）のクラウドサーバ（cloud server）のような仮想的な資源によって実現されていてもよい。
【００１８】
プロセッサ１０１は、ＣＰＵ（Central Processing Unit）、ＭＰＵ（Micro Processing Unit）等を用いて構成される。プロセッサ１０１が、主記憶装置１０２に格納されているプログラムを読み出して実行することにより、予防接種管理システム１０や医療機関側システム２０、ユーザ装置３０の機能が実現される。
【００１９】
主記憶装置１０２は、プログラムやデータを記憶する装置であり、ＲＯＭ（Read Only Memory）、ＲＡＭ（Random Access Memory）、不揮発性半導体メモリ（ＮＶＲＡＭ（Non Volatile RAM））等である。
【００２０】
補助記憶装置１０３は、例えば、ＳＳＤ（Solid State Drive）、ＳＤメモリカード等の各種不揮発性メモリ（NVRAM:Non-volatile memory）、ハードディスクドライブ、光学式記憶装置（ＣＤ（Compact Disc）、ＤＶＤ(Digital Versatile Disc)等）、クラウドサーバの記憶領域等である。補助記憶装置１０３に格納されているプログラムやデータは主記憶装置１０２に随時読み込まれる。
【００２１】
入力装置１０４は、情報の入力を受け付けるインタフェースであり、例えば、キーボード、マウス、タッチパネル、カードリーダ、音声入力装置（マイクロフォン等）、音声認識装置等である。情報処理装置１００が通信装置１０６を介して他の装置との間で情報の入力を受け付ける構成としてもよい。
【００２２】
出力装置１０５は、各種の情報を出力するインタフェースであり、例えば、画面表示装置（液晶モニタ、ＬＣＤ（Liquid Crystal Display）、グラフィックカード等）、印字装置等）、音声出力装置（スピーカ等）、音声合成装置等である。情報処理装置１００が通信装置１０６を介して他の装置との間で情報の出力を行う構成としてもよい。
【００２３】
通信装置１０６は、通信ネットワーク５を介した他の装置との間の通信を実現する有線方式又は無線方式の通信インタフェースであり、例えば、ＮＩＣ（Network Interface Card）、無線通信モジュール、ＵＳＢ（Universal Serial Interface）モジュール、シリアル通信モジュール等である。
【００２４】
図３に予防接種管理システム１０が備える主な機能（ソフトウェア構成）を示している。同図に示すように、予防接種管理システム１０は、記憶部１１１、被接種者情報管理部１１２、助成情報管理部１１３、スケジュール管理部１１４、処理選択受付部１１５、および接種履歴管理部１１６の各機能を備える。これらの機能は、予防接種管理システム１０のプロセッサ１０１が予防接種管理システム１０の主記憶装置１０２に格納されているプログラムを読み出して実行することにより実現される。また予防接種管理システム１０は、上記の機能に加えて、オペレーティングシステム、ファイルシステム、デバイスドライバ、ＤＢＭＳ（DataBase Management System）等の機能を備える。
【００２５】
上記の機能のうち、記憶部１１１は、被接種者情報１５１、助成情報１５２、規準接種スケジュール１５３、接種スケジュール１５４、および接種履歴１５５の各データを記憶する。記憶部１１１は、これらのデータを、例えば、データベースのテーブルや、ファイルシステムによって管理されるファイル等として記憶する。
【００２６】
被接種者情報管理部１１２は、被接種者に関する情報（以下、「被接種者情報」と称する。）を管理する。被接種者情報管理部１１２は、通信ネットワーク５を介してユーザ装置３０から被接種者情報の設定を受け付ける。記憶部１１１は、被接種者情報管理部１１２が受け付けた被接種者情報を被接種者情報１５１として記憶する。
【００２７】
図４に被接種者情報の設定を受け付ける際にユーザ装置３０が表示する画面（以下、「被接種者情報設定画面４００」と称する。）の一例を示す。被接種者情報設定画面４００は、被接種者ＩＤの表示欄４０１、氏名の設定欄４０２、氏名フリガナの設定欄４０３、性別の設定欄４０４、生年月日の設定欄４０５、住所（郵便番号）の設定欄４０６、居住自治体名の表示欄４０７、設定ボタン４１１、およびキャンセルボタン４１２を有する。
【００２８】
被接種者ＩＤの表示欄４０１には、予め設定された、もしくは被接種者の識別子である被接種者ＩＤが表示される。居住自治体名の表示欄４０７には、住所（郵便番号）の設定欄４０６の内容を検索キーとしてインターネット６上のサイトの情報や予め予防接種管理システム１０が記憶している情報等から取得される被接種者の居住自治体名が表示される。
【００２９】
ユーザが被接種者情報設定画面４００に内容を設定して設定ボタン４１１を操作すると、上記内容がユーザ装置３０から予防接種管理システム１０に送信される。上記内容は予防接種管理システム１０において記憶部１１１により被接種者情報１５１として管理される。
【００３０】
図５に被接種者情報１５１の一例を示す。同図における各項目５０１〜５０７は、夫々図４に示した被接種者情報設定画面４００における同名の項目４０１〜４０７に対応している。
【００３１】
図３に戻り、助成情報管理部１１３は、予防接種の助成状況に関する情報（以下、「助成情報」と称する。）を取得する。上記助成情報は、予防接種管理システム１０の記憶部１１１が助成情報１５２として記憶する。助成情報管理部１１３は、例えば、予防接種管理システム１０の管理者等から入力装置１０４を介して助成情報を取得する。管理者等は、例えば、自治体が配布する資料や自治体が提供（運用）するＷｅｂサイトから取得した助成情報を、入力装置１０４を介して予防接種管理システム１０に入力する。記憶部１１１が記憶する助成情報１５２は、後述する規準接種スケジュール１５３から取得される、助成に関する情報（定期／任意の区別、助成対象年齢等）も含む。尚、例えば、助成情報管理部１１３が、インターネット６上のサイトのクローリング等により助成情報を自動取得するようにしてもよい。
【００３２】
図６に助成情報１５２の一例を示す。同図に示すように、助成情報１５２は、自治体名１５２１、ワクチン名１５２２、助成対象者１５２３、助成内容１５２４、助成方法１５２５、および開始時期１５２６の各項目を有する一つ以上のレコードで構成される。
【００３３】
自治体名１５２１には、助成を行っている自治体の自治体名が設定される。ワクチン名１５２２には、助成対象となるワクチンを特定する情報（ワクチン名等）が設定される。助成対象者１５２３には、助成対象者を指定する情報（国民健康保険加入者、助成対象年齢該当者等）が設定される。助成内容１５２４には、助成の内容を示す情報（助成金額、助成回数等）が設定される。助成方法１５２５には、助成方法を示す情報（現物給付（予防接種の実施による給付）、償還払い等）が設定される。開始時期１５２６には、助成の適用開始時期を示す情報が設定される。
【００３４】
図３に戻り、スケジュール管理部１１４は、ユーザの予防接種のスケジュールに関する情報（以下、「接種スケジュール」と称する。）を管理する。スケジュール管理部１１４は、スケジュール生成部１１４１、スケジュール設定部１１４２、情報提供部１１４３、助成状況情報生成部１１４４、および受診予約部１１４５の各機能を含む。
【００３５】
スケジュール生成部１１４１は、規準接種スケジュール１５３および接種履歴１５５に基づき接種スケジュール１５４を生成する。規準接種スケジュール１５３は、例えば、日本小児科学会や国立感染症研究所（ＮＩＩＤ）等から提供される情報に基づき生成される情報であり、予め予防接種管理システム１０に格納される。接種スケジュール１５４の生成に際し、スケジュール生成部１１４１は接種履歴１５５の内容を考慮し、例えば、接種間隔を調整したり、接種済みワクチンを重複してスケジュールしたりしないようにする。
【００３６】
スケジュール設定部１１４２は、ユーザ装置３０から通信ネットワーク５を介して接種スケジュールの設定を受け付ける。ユーザは、新規に接種スケジュールを作成することができる。またユーザは、例えば、スケジュール生成部１１４１により自動生成された接種スケジュール１５４をベースとして接種スケジュールを設定することもできる。記憶部１１１は、被接種者情報管理部１１２が受け付けた接種スケジュールの設定内容を接種スケジュール１５４として記憶する。
【００３７】
図７に接種スケジュールの設定を受け付ける際にユーザ装置３０が表示する画面（以下、「接種スケジュール設定画面７００」と称する。）の一例を示す。同図に示すように、接種スケジュール設定画面７００は、被接種者ＩＤの表示欄７０１、氏名の表示欄７０２、氏名フリガナの表示欄７０３、性別の表示欄７０４、生年月日の表示欄７０５、住所（郵便番号）の表示欄７０６、居住自治体名の表示欄７０７、接種予定日の設定欄７０８、ワクチン名の設定欄７０９、期の設定欄７１０、回の設定欄７１１、定期／任意の表示欄７１２、接種医療機関名の設定欄７１３、設定ボタン７２１、受診予約ボタン７２２、およびキャンセルボタン７２３を有する。
【００３８】
ユーザが接種スケジュール設定画面７００に内容を設定して設定ボタン７２１を操作すると、上記内容がユーザ装置３０から予防接種管理システム１０に送信される。予防接種管理システム１０において、上記内容は記憶部１１１により接種スケジュール１５４として管理される。
【００３９】
図８に記憶部１１１が記憶する接種スケジュール１５４の一例を示す。同図における各項目８０１〜８１３は夫々、図７に示した接種スケジュール設定画面７００の同名の項目７０１〜７１３に対応している。また接種スケジュール１５４における助成内容８１４および助成方法８１５の各項目には、助成状況情報生成部１１４４によって生成される、助成状況に関する情報（助成の有無を示す情報、助成内容（助成金額、助成回数等）、助成方法（償還払い、全額（現物給付）等）等を含む。以下、「助成状況情報」と称する。）が設定される。
【００４０】
図３に戻り、情報提供部１１４３は、例えば、ユーザ装置３０がユーザに接種スケジュールを提示する際に接種スケジュール１５４の内容をユーザ装置３０に送信する。また情報提供部１１４３は、例えば、接種予定日が近づいてきた際（接種予定日まで所定日数（時間）以内となった際）にその旨を報知する情報をユーザ装置３０に送信する。
【００４１】
図９は、ユーザ装置３０が、接種スケジュールのユーザへの提示に際して表示する画面の一例（以下、「接種スケジュール確認画面９００」と称する。）である。尚、接種スケジュール確認画面９００を表示するためのデータ（画像データやＷｅｂページ等）は、例えば、情報提供部１１４３が生成してユーザ装置３０に送信してもよいし、ユーザ装置３０が情報提供部１１４３から受信した情報に基づき生成してもよい。
【００４２】
同図に示すように、接種スケジュール確認画面９００は、次回接種予定のスケジュール表示欄９１１と、次回以降接種予定のスケジュール表示欄９１２とを有する。尚、次回接種予定のスケジュール表示欄９１１および次回以降接種予定のスケジュール表示欄９１２には、接種予定日、ワクチン名、期／回を示す情報、および定期／任意の区別を示す情報に加え、助成状況情報の内容も表示される。このように、接種スケジュール確認画面９００には、接種予定日に接種するワクチンに関する情報が表示されるので、ユーザは、接種予定日に接種しようとするワクチンの助成状況情報の内容を容易に確認することができる。
【００４３】
尚、同図に示す接種スケジュール確認画面９００では、スケジュールを接種予定日の時系列順に並べて表示しているが、カレンダー形式（表形式）等の他の態様で接種スケジュールを表示するようにしてもよい。また視認性を高めるため、例えば、助成状況情報をアイコン画像、図案、記号等の画像（例えば、接種予定日に接種するワクチンが助成対象であることを示すアイコン画像）で表示してもよい。
【００４４】
図３に戻り、助成状況情報生成部１１４４は、接種スケジュール１５４と助成情報１５２とに基づき助成状況情報を生成し、生成した情報状況情報を、接種スケジュール１５４の対応する項目の内容（助成状況情報１５４１）として設定する。
【００４５】
受診予約部１１４５（助成状況情報送信部）は、ユーザが接種スケジュール設定画面７００の受診予約ボタン７２２を操作すると、通信ネットワーク５やインターネット６を介して、接種医療機関名の設定欄７１２に設定されている医療機関の医療機関側システム２０に受診予約を要求する情報（以下、「受診予約要求」と称する。）を送信する。送信される受診予約要求は、接種スケジュール１５４の内容や助成状況情報１５４１の全部または一部を含む。
【００４６】
図３に示す処理選択受付部１１５は、通信ネットワーク５を介してユーザ装置３０から各種処理の指定を受け付け、指定された処理を実行する。尚、ユーザ装置３０は、例えば、各種処理を選択させるメニュー画面を表示してユーザから処理の指定を受け付ける。
【００４７】
接種履歴管理部１１６は、通信ネットワーク５を介してユーザ装置３０から接種履歴の入力を受け付ける。接種履歴管理部１１６が受け付けた接種履歴は、記憶部１１１が接種履歴１５５として記憶する。
【００４８】
図１０に接種履歴の入力を受け付ける際にユーザ装置３０が表示する画面（以下、「接種履歴登録画面１０００」と称する。）の一例を示す。同図に示すように、接種履歴登録画面１０００は、被接種者ＩＤの表示欄１００１、氏名の表示欄１００２、氏名フリガナの表示欄１００３、性別の表示欄１００４、生年月日の表示欄１００５、住所（郵便番号）の表示欄１００６、居住自治体名の表示欄１００７、接種日の設定欄１００８、ワクチン名の設定欄１００９、期の設定欄１０１０、回の設定欄１０１１、定期／任意の表示欄１０１２、医療機関名の設定欄１０１３、助成内容の表示欄１０１４、助成方法の表示欄１０１５、設定ボタン１０２１、およびキャンセルボタン１０２２を有する。
【００４９】
ユーザが接種履歴登録画面１０００に内容を設定して設定ボタン１０２１を操作すると、上記内容がユーザ装置３０から予防接種管理システム１０に送信される。上記内容は予防接種管理システム１０の記憶部１１１により接種履歴１５５として管理される。
【００５０】
図１１は、記憶部１１１が記憶する接種履歴１５５の一例である。同図における各項目１１０１〜１１１５は夫々、図１０に示した接種履歴登録画面１０００における同名の項目１００１〜１０１５に対応している。
【００５１】
図１２にユーザ装置３０が備える主な機能を示している。同図に示すように、ユーザ装置３００は、被接種者情報受付部３１１、スケジュール受付部３１２、接種履歴受付部３１３、及び情報提示部３１４を備える。これらの機能は、ユーザ装置３０のプロセッサ１０１が、ユーザ装置３０の主記憶装置１０２に格納されているプログラムを読み出して実行することにより実現される。
【００５２】
被接種者情報受付部３１１は、前述した被接種者情報設定画面４００を介してユーザから被接種者情報を受け付け、受け付けた被接種者情報を通信ネットワーク５を介して予防接種管理システム１０に送信する。
【００５３】
スケジュール受付部３１２は、接種スケジュール設定画面７００を介してユーザから接種スケジュールの内容を受け付け、受け付けた内容を通信ネットワーク５を介して予防接種管理システム１０に送信する。
【００５４】
接種履歴受付部３１３は、接種履歴登録画面１０００を介してユーザから接種履歴の入力を受け付け、受け付けた接種履歴を通信ネットワーク５を介して予防接種管理システム１０に送信する。
【００５５】
情報提示部３１４は、接種スケジュール確認画面９００等の各種の情報をユーザ装置３０の出力装置１０５に表示する。
【００５６】
図１３に医療機関側システム２０が備える主な機能を示している。尚、医療機関においては、被接種者毎に助成の適否や助成方法（現物給付、償還払い等）を判定し、判定の結果に応じて請求業務を行う。例えば、助成の適用がない被接種者に対しては窓口で直接請求（請求書を発行）する。また例えば、助成の適用がある場合は、自治体（被接種者の居住自治体毎）毎に異なる助成の適否についての判断を行い、助成方法や請求方法に応じた請求書フォーマットに基づき請求書を作成して請求を行う。
【００５７】
同図に示すように、医療機関側システム２０は、記憶部２１０、受診予約管理部２１１、および請求処理部２１２を備える。これらの機能は、医療機関側システム２０のプロセッサ１０１が、医療機関側システム２０の主記憶装置１０２に格納されているプログラムを読み出して実行することにより実現される。
【００５８】
記憶部２１０は、予防接種管理システム１０から送られてくる受診予約情報２５１および助成状況情報２５２を記憶する。
【００５９】
受診予約管理部２１１は、予防接種管理システム１０から送られてくる受診予約要求および助成状況情報を受信する。受診予約管理部２１１が受信した受診予約要求の内容は、記憶部２１０が受診予約情報２５１として管理する。また受診予約管理部２１１が受信した助成状況情報の内容は、記憶部２１０が助成状況情報２５２として管理する。
【００６０】
請求処理部２１２は、被接種者が医療機関で予防接種を受けた際、助成金支払機関に対して診療報酬や助成金の請求に関する処理（以下、「請求処理」と称する。）を行う。請求処理部２１２は、受診予約情報２５１とともに受信した助成状況情報２５２の内容に基づき請求処理を行う。
【００６１】
続いて、情報処理システム１において行われる処理について説明する。
【００６２】
図１４は、予防接種管理システム１０のスケジュール管理部１１４が接種スケジュール１５４を生成する際に行う処理（以下、「スケジュール生成処理Ｓ１４００」と称する。）の流れを説明するフローチャートである。以下、同図とともにスケジュール生成処理Ｓ１４００について説明する。尚、以下では、ある一人の被接種者の接種スケジュールを生成する場合を例として説明する。
【００６３】
まずスケジュール生成部１１４１が、被接種者の被接種者情報１５１から取得される生年月日、規準接種スケジュール１５３、および接種履歴１５５（但し、接種履歴１５５については当該被接種者の情報が存在する場合）に基づき、接種スケジュール１５４を生成する（Ｓ１４１１）。尚、この時点における接種スケジュール１５４における、助成内容８１４および助成方法８１５の内容については未設定である。
【００６４】
続いて、助成状況情報生成部１１４４が、被接種者の被接種者情報１５１と助成情報１５２とに基づき、Ｓ１４１１で生成した接種スケジュール１５４の内容で予防接種を受けた場合における助成状況情報を生成する（Ｓ１４１２）。尚、この処理（以下、「助成状況情報生成処理Ｓ１４１２」と称する。）の詳細については後述する。
【００６５】
続いて、助成状況情報生成部１１４４は、助成状況情報生成処理Ｓ１４１２の戻り値を判定する（Ｓ１４１３）。戻り値が助成状況情報の内容であった場合（Ｓ１４１３：助成状況情報）、助成状況情報生成部１１４４は、Ｓ１４１１で生成した接種スケジュール１５４の助成内容８１４および助成方法８１５に上記助成状況情報の内容を設定する（Ｓ１４１４）。一方、助成状況情報生成処理Ｓ１４１２の戻り値が「助成なし」であった場合（Ｓ１４１３：ＮＯ）、スケジュール生成処理Ｓ１４００は終了する。
【００６６】
尚、スケジュール生成部１１４１が、例えば、助成情報１５２から取得される助成適用期間の末日の到来が早いワクチンの接種予定日が、それよりも末日の到来が遅い他のワクチンの接種予定日よりも先になるように接種スケジュールを生成するようにしてもよい。そのようにすることで、なるべく助成が適用される期間中に予防接種を受けるようユーザに促すことができる。
【００６７】
図１５は、図１４の助成状況情報生成処理Ｓ１４１２の詳細を説明するフローチャートである。以下、同図とともに助成状況情報生成処理Ｓ１４１２について説明する。
【００６８】
まず助成状況情報生成部１１４４は、被接種者の接種スケジュール１５４からワクチン名と接種予定日を取得する（Ｓ１５１１）。
【００６９】
続いて、助成状況情報生成部１１４４は、被接種者の被接種者情報１５１から生年月日と居住自治体名を取得する（Ｓ１５１２）。
【００７０】
続いて、助成状況情報生成部１１４４は、Ｓ１５１１で取得したワクチン名、およびＳ１５１２で取得した居住自治体名（自治体名）に対応する助成情報を助成情報１５２から取得する（Ｓ１５１３）。
【００７１】
続いて、助成状況情報生成部１１４４は、Ｓ１５１１で取得した接種予定日等、Ｓ１５１２で取得した生年月日等、およびＳ１５１３で取得した助成情報に基づき、被接種者について助成が適用されるか否かを判定する（Ｓ１５１４）。
【００７２】
助成状況情報生成部１１４４は、被接種者について助成が適用されると判定すると（Ｓ１５１４：ＹＥＳ）、Ｓ１５１３で取得した助成情報から助成状況情報を取得し（Ｓ１５１５）、取得した助成状況情報を戻り値として返す（Ｓ１５１６）。
【００７３】
一方、助成状況情報生成部１１４４は、被接種者が助成を受けられないと判定すると（Ｓ１５１４：ＮＯ）、「助成なし」を戻り値として返す（Ｓ１５１７）。
【００７４】
図１６は、予防接種管理システム１０が行う処理（以下、「各種処理Ｓ１６００」と称する。）を説明するフローチャートである。以下、同図とともに各種処理Ｓ１６００について説明する。
【００７５】
予防接種管理システム１０の処理選択受付部１１５は、通信ネットワーク５を介してユーザ装置３０から処理の選択を受け付ける（Ｓ１６１１）。
【００７６】
処理選択受付部１１５は、Ｓ１６１１で受け付けた処理が予防接種のスケジュールの設定に関する処理である場合（Ｓ１６１２：スケジュール設定）、スケジュールの設定に関する処理（以下、「スケジュール設定処理Ｓ１６２０」と称する。）を実行する。その後、処理はＳ１６１１に戻る。
【００７７】
また処理選択受付部１１５は、Ｓ１６１１で受け付けた処理が、被接種者が予防接種を受けるための医療機関の受診予約に関する処理である場合（Ｓ１６１２：受診予約）、受診予約に関する処理（以下、「受診予約処理Ｓ１６３０」と称する。）を実行する。その後、処理はＳ１６１１に戻る。
【００７８】
また処理選択受付部１１５は、Ｓ１６１１で受け付けた処理が接種履歴の登録に関する処理である場合（Ｓ１６１２：接種履歴登録）、接種履歴の登録に関する処理（以下、「接種履歴登録処理Ｓ１６４０」と称する。）を実行する。その後、処理はＳ１６１１に戻る。
【００７９】
図１７は、図１６のスケジュール設定処理Ｓ１６２０の詳細を説明するフローチャートである。以下、同図とともにスケジュール設定処理Ｓ１６２０について説明する。
【００８０】
まずスケジュール管理部１１４のスケジュール設定部１１４２が、通信ネットワーク５を介してユーザ装置３０からスケジュールの設定内容を受信し（Ｓ１７１１）、受信した設定内容を接種スケジュール１５４に反映する（Ｓ１７１２）。
【００８１】
続いて、助成状況情報生成部１１４４は、Ｓ１７１２にて反映された接種スケジュール１５４に助成情報を設定する処理（Ｓ１７１３〜Ｓ１７１５）を行う。尚、この一例の処理（Ｓ１７１３〜Ｓ１７１５）は、図１４に示したＳ１４１２〜Ｓ１４１４の処理と同様であるのでここでは説明を省略する。
【００８２】
図１８は、図１６の受診予約処理Ｓ１６３０の詳細を説明するフローチャートである。以下、同図とともに受診予約処理Ｓ１６３０について説明する。
【００８３】
まずスケジュール管理部１１４の受診予約部１１４５が、通信ネットワーク５を介してユーザ装置３０から受診予約の指示を受け付ける（Ｓ１８１１）。尚、受診予約の指示は、例えば、ユーザが図７の接種スケジュール設定画面７００の受診予約ボタン７２２を操作することにより行われる。
【００８４】
続いて、受診予約部１１４５は、接種スケジュール１５４に基づき受診予約要求を生成する（Ｓ１８１２）。この受診予約要求には助成状況情報が付帯する。
【００８５】
続いて、受診予約部１１４５は、生成した受診予約要求を医療機関側システム２０に送信する（Ｓ１８１３）。
【００８６】
尚、本例では、このように助成状況情報を受診予約要求に付帯させて医療機関側システム２０に送信しているが、助成状況情報を受診予約要求とは別に医療機関側システム２０に送信する構成としてもよい。
【００８７】
図１９は、図１６の接種履歴登録処理Ｓ１６４０を説明するフローチャートである。以下、同図とともに接種履歴登録処理Ｓ１６４０について説明する。
【００８８】
まず予防接種管理システム１０の接種履歴管理部１１６が通信ネットワーク５を介してユーザ装置３０から接種履歴を受信する（Ｓ１９１１）。
【００８９】
続いて、記憶部１１１が、接種履歴管理部１１６が受信した接種履歴を接種履歴１５５として記憶する（Ｓ１９１２）。
【００９０】
尚、接種履歴１５５の内容は、通信ネットワーク５を介してユーザ装置３０に随時提供される。また接種履歴１５５の内容は、前述したようにスケジュール生成処理Ｓ１４００で用いられる。
【００９１】
以上に説明したように、本実施形態の予防接種管理システム１０によれば、接種スケジュールの接種予定日における助成状況を示す情報である助成状況情報を生成してユーザに提供するので、ユーザは、接種を受けようとするワクチンが助成の適用対象であるか否かの確認を容易に行うことができる。このため、例えば、ユーザは、医療機関を訪れようとする際、接種しようとするワクチンが助成の適用対象であるか否かを事前に容易に確認することができる。
【００９２】
また医療機関において被接種者が予防接種を受けた際、予防接種管理システム１０から医療機関側システム２０に対して助成状況情報が送信されるので、医療機関は、被接種者が助成の適用対象か否か、並びに適用対象である場合には助成方法（現物給付や償還払い等）といった情報を知ることができる。そのため、医療機関は煩雑な事務処理から開放され、請求処理を効率よく進めることができる。
【００９３】
尚、以上に示した実施形態は本発明の理解を容易にするための一例として示したものに過ぎず、本発明を限定して解釈するためのものではない。本発明はその趣旨を逸脱することなく変更、改良され得るとともに、本発明にはその等価物も含まれる。
【００９４】
例えば、助成情報１５２の内容は、自治体等の助成金支払機関側で設定するようにしてもよい。その場合、例えば、通信ネットワーク５を介して予防接種管理システム１０と通信可能に接続された助成金支払機関側の情報処理装置が助成情報を受け付けるようにする。
【００９５】
図２０に上記受け付けに際して助成金支払機関側の情報処理装置に表示される画面（以下、「助成情報設定画面２０００」と称する。）の一例を示す。
【００９６】
同図に示すように、助成情報設定画面２０００は、ワクチン名の設定欄２０１１、接種対象者の設定欄２０１２、助成内容の設定欄２０１３、助成費の設定欄２０１４、助成方法の設定欄２０１５、設定ボタン２０１６、およびキャンセルボタン２０１７を有する。
【００９７】
助成金支払機関側の担当者等が助成情報設定画面２０００に内容を設定して設定ボタン２０１６を操作すると、上記内容が通信ネットワーク５を介して助成金支払機関側の情報処理装置から予防接種管理システム１０に送信され、予防接種管理システム１０は、上記内容を受信する。予防接種管理システム１０の記憶部１１１は、受信した上記内容を助成情報１５２として管理する。
【符号の説明】
【００９８】
１  情報処理システム
５  通信ネットワーク
６  インターネット
１０  予防接種管理システム
２０  医療機関側システム
３０  ユーザ装置
１１１  記憶部
１１２  被接種者情報管理部
１１３  助成情報管理部
１１４  スケジュール管理部
１１４１  スケジュール生成部
１１４２  スケジュール設定部
１１４３  情報提供部
１１４４  助成状況情報生成部
１１４５  受診予約部
１１５  処理選択受付部
１１６  接種履歴管理部
１５１  被接種者情報
１５２  助成情報
１５３  規準接種スケジュール
１５４  接種スケジュール
１５４１  助成状況情報
１５５  接種履歴
【図１】
2020071826.tif 000003
【図２】
2020071826.tif 000004
【図３】
2020071826.tif 000005
【図４】
2020071826.tif 000006
【図５】
2020071826.tif 000007
【図６】
2020071826.tif 000008
【図７】
2020071826.tif 000009
【図８】
2020071826.tif 000010
【図９】
2020071826.tif 000011
【図１０】
2020071826.tif 000012
【図１１】
2020071826.tif 000013
【図１２】
2020071826.tif 000014
【図１３】
2020071826.tif 000015
【図１４】
2020071826.tif 000016
【図１５】
2020071826.tif 000017
【図１６】
2020071826.tif 000018
【図１７】
2020071826.tif 000019
【図１８】
2020071826.tif 000020
【図１９】
2020071826.tif 000021
【図２０】
2020071826.tif 000022
【手続補正書】
【提出日】令和1年5月27日(2019.5.27)
【手続補正１】
【補正対象書類名】特許請求の範囲
【補正対象項目名】全文
【補正方法】変更
【補正の内容】
【特許請求の範囲】
【請求項１】
予防接種管理システムであって、
情報処理装置を用いて構成され、
ユーザが操作する情報処理装置であるユーザ装置と通信可能に接続し、
被接種者に関する情報である被接種者情報を受け付ける被接種者情報受付部と、
予防接種の接種スケジュールの規準となる情報である規準接種スケジュール、および予防接種の助成に関する情報である助成情報を記憶する記憶部と、
前記被接種者情報および前記規準接種スケジュールに基づき、被接種者の予防接種に関するスケジュールである接種スケジュールを生成するスケジュール生成部と、
前記被接種者情報および前記助成情報に基づき、前記接種スケジュールの接種予定日における助成状況を示す情報である助成状況情報を生成する助成状況情報生成部と、
前記助成状況情報を前記ユーザ装置に送信する情報提供部と、
を備え、
前記情報提供部は、前記接種スケジュールの接種予定日に接種するワクチンが助成対象であることを示す画像を前記ユーザ装置に表示するためのデータ、又は、前記ユーザ装置が前記画像を生成するための情報を、前記ユーザ装置に送信する、
予防接種管理システム。
【請求項２】
請求項１に記載の予防接種管理システムであって、
前記助成情報はワクチン毎の助成適用期間を示す情報を含み、
前記スケジュール生成部は、前記助成適用期間の末日の到来が早いワクチンの接種予定日が他のワクチンの接種予定日よりも先になるように前記接種スケジュールを生成する、
予防接種管理システム。
【請求項３】
請求項１に記載の予防接種管理システムであって、
助成金支払機関に対して請求処理を行う情報処理装置である医療機関側システムと通信可能に接続し、
前記医療機関側システムに前記助成状況情報を送信する助成状況情報送信部をさらに備える、
予防接種管理システム。
【請求項４】
請求項３に記載の予防接種管理システムであって、
前記助成状況情報は、ワクチンの助成方法が現物給付であるか償還払いであるかを示す情報を含む、
予防接種管理システム。
【請求項５】
請求項１に記載の予防接種管理システムであって、
受診予約の管理を行う医療機関側システムと通信可能に接続し、
ワクチン接種のための受診予約に関する情報を含む受診予約要求を前記医療機関側システムに送信する受診予約部をさらに備える、
予防接種管理システム。
【請求項６】
請求項５に記載の予防接種管理システムであって、
前記受診予約要求には、接種対象のワクチンの前記助成状況情報が付帯する、
予防接種管理システム。
【請求項７】
請求項６に記載の予防接種管理システムであって、
前記助成状況情報は、ワクチンの助成方法が現物給付であるか償還払いであるかを示す情報を含む、
予防接種管理システム。
【請求項８】
請求項１に記載の予防接種管理システムであって、
前記規準接種スケジュールは被接種者の生年月日を起点として作成されており、
前記被接種者情報は被接種者の生年月日を含み、
前記スケジュール生成部は、前記被接種者情報の生年月日を起点として前記規準接種スケジュールに基づき前記接種スケジュールを生成する、
予防接種管理システム。
【請求項９】
請求項１に記載の予防接種管理システムであって、
前記記憶部は、被接種者の接種履歴をさらに記憶し、
前記スケジュール生成部は、前記被接種者情報、前記規準接種スケジュール、および前記接種履歴に基づき、前記接種スケジュールを生成する、
予防接種管理システム。
【請求項１０】
請求項１に記載の予防接種管理システムであって、
前記被接種者情報は、被接種者の居住自治体を示す情報を含み、
前記助成情報は、助成を行っている自治体、助成対象ワクチン、および助成対象者を示す情報を含む、
予防接種管理システム。
【請求項１１】
情報処理装置に、
被接種者に関する情報である被接種者情報を受け付ける機能と、
予防接種の接種スケジュールの規準となる情報である規準接種スケジュール、および予防接種の助成に関する情報である助成情報を記憶する機能と、
前記被接種者情報および前記規準接種スケジュールに基づき、被接種者の予防接種に関するスケジュールである接種スケジュールを生成する機能と、
前記被接種者情報および前記助成情報に基づき、前記接種スケジュールの接種予定日における助成状況を示す情報である助成状況情報を生成する機能と、
前記助成状況情報を、通信可能に接続するユーザ装置に送信する機能と、
前記接種スケジュールの接種予定日に接種するワクチンが助成対象であることを示す画像を、前記ユーザ装置に表示するためのデータ、又は、前記ユーザ装置が前記画像を生成するための情報を、前記ユーザ装置に送信する機能と、
を実現するためのプログラム。
【請求項１２】
情報処理装置が、
被接種者に関する情報である被接種者情報を受け付けるステップと、
予防接種の接種スケジュールの規準となる情報である規準接種スケジュール、および予防接種の助成に関する情報である助成情報を記憶するステップと、
前記被接種者情報および前記規準接種スケジュールに基づき、被接種者の予防接種に関するスケジュールである接種スケジュールを生成するステップと、
前記被接種者情報および前記助成情報に基づき、前記接種スケジュールの接種予定日における助成状況を示す情報である助成状況情報を生成するステップと、
前記助成状況情報を、通信可能に接続するユーザ装置に送信するステップと、
前記接種スケジュールの接種予定日に接種するワクチンが助成対象であることを示す画像を、前記ユーザ装置に表示するためのデータ、又は、前記ユーザ装置が前記画像を生成するための情報を、前記ユーザ装置に送信するステップと、
を実行する、予防接種管理方法。
【請求項１３】
請求項３に記載の医療機関側システムであって、
前記予防接種管理システムから受信した前記助成状況情報に基づき、被接種者毎に助成の適否の判定および助成方法の判定のうち少なくともいずれかの判定を行い、前記判定の結果に応じた請求処理を実行する請求処理部
を備える、医療機関側システム。
【手続補正２】
【補正対象書類名】明細書
【補正対象項目名】０００７
【補正方法】変更
【補正の内容】
【０００７】
上記目的を達成するための本発明の一つは、予防接種管理システムであって、予防接種管理システムであって、情報処理装置を用いて構成され、ユーザが操作する情報処理装置であるユーザ装置と通信可能に接続し、被接種者に関する情報である被接種者情報を受け付ける被接種者情報受付部と、予防接種の接種スケジュールの規準となる情報である規準接種スケジュール、および予防接種の助成に関する情報である助成情報を記憶する記憶部と、前記被接種者情報および前記規準接種スケジュールに基づき、被接種者の予防接種に関するスケジュールである接種スケジュールを生成するスケジュール生成部と、前記被接種者情報および前記助成情報に基づき、前記接種スケジュールの接種予定日における助成状況を示す情報である助成状況情報を生成する助成状況情報生成部と、前記助成状況情報を前記ユーザ装置に送信する情報提供部と、を備え、前記情報提供部は、前記接種スケジュールの接種予定日に接種するワクチンが助成対象であることを示す画像を前記ユーザ装置に表示するためのデータ、又は、前記ユーザ装置が前記画像を生成するための情報を前記ユーザ装置に送信する。